【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
カメラを備える携帯機器に、当該カメラに面して装着されてカメラの画角を変化させるコンバージョンレンズ装置において、
コンバージョンレンズをなす光学レンズを内蔵支持し、撮像対象物に面する窓部と携帯機器のカメラに面する窓部とが外表面に形成された本体部と、
前記本体部を、前記携帯機器のカメラに面する窓部が携帯機器のカメラに対向するように、携帯機器に固定する固定具とを備え、
前記本体部の前記撮像対象物に面する窓部の周囲には、前記本体部の外側に向かって突出した筒状部が形成され、
前記筒状部は、所定の肉厚を有する端面部を先端として撮像対象物に接触可能とされ、
前記筒状部の先端をなす端面部において、少なくとも一部が内周側に対して外周側が筒軸方向に突出していることを特徴とするコンバージョンレンズ装置。
【請求項２】
前記筒状部の先端をなす端面部において、外周側の筒軸方向への突出高さを、筒周方向において連続的且つ周期的に異ならせて、筒周方向に波状の凹凸が生じた形状として形成されることを特徴とする請求項１に記載のコンバージョンレンズ装置。
【請求項３】
前記筒状部は前記本体部とは別部材で構成され、前記本体部に対して移動可能に支持されていることを特徴とする請求項１または２に記載のコンバージョンレンズ装置。
【請求項４】
前記本体部は、撮像対象物に撮像のための光を照射する照明用光源と、
前記照明用光源の光照射を制御する制御回路部とを内蔵し、
前記筒状部が、前記本体部に対し移動すると、前記制御回路部が、前記筒状部の移動を検知して、照明用光源に撮像対象物に対する光照射を実行させることを特徴とする請求項３に記載のコンバージョンレンズ装置。
【請求項５】
カメラを備える携帯機器に、当該カメラに面して装着されてカメラの画角を変化させるコンバージョンレンズ装置において、
コンバージョンレンズをなす光学レンズを内蔵支持し、撮像対象物に面する窓部と携帯機器のカメラに面する窓部とが外表面に形成された本体部と、
前記本体部を、前記携帯機器のカメラに面する窓部が携帯機器のカメラに対向するように、携帯機器に固定する固定具とを備え、
前記本体部の前記撮像対象物に面する窓部の周囲には、前記本体部の外側に向かって突出した筒状部が形成され、
前記筒状部は、所定の肉厚を有する端面部を先端として撮像対象物に接触可能とされ、
前記筒状部の先端をなす端面部に周方向に凹凸が形成されていることを特徴とするコンバージョンレンズ装置。
【請求項６】
前記凹凸が、筒周方向に波状でかつ連続的に形成されることを特徴とする請求項５に記載のコンバージョンレンズ装置。
【請求項７】
前記筒状部は前記本体部とは別部材で構成され、前記本体部に対して移動可能に支持されていることを特徴とする請求項５または６に記載載のコンバージョンレンズ装置。
【請求項８】
前記本体部は、撮像対象物に撮像のための光を照射する照明用光源と、
前記照明用光源の光照射を制御する制御回路部とを内蔵し、
前記筒状部が、前記本体部に対し移動すると、前記制御回路部が、前記筒状部の移動を検知して、照明用光源に撮像対象物に対する光照射を実行させることを特徴とする請求項７に記載のコンバージョンレンズ装置。
【請求項９】
カメラを備える携帯機器と、前記携帯機器のカメラに面して装着されるコンバージョンレンズ装置とからなるコンバージョンレンズカメラシステムにおいて、
前記コンバージョンレンズ装置は、
コンバージョンレンズをなす光学レンズを内蔵支持し、撮像対象物に面する窓部と携帯機器のカメラに面する窓部とが外表面に形成された本体部と、
前記本体部を、前記携帯機器のカメラに面する窓部が携帯機器のカメラに対向するように、携帯機器に固定する固定具とを備え、
前記本体部の前記撮像対象物に面する窓部の周囲には、前記本体部の外側に向かって突出した筒状部が形成され、
前記筒状部は、所定の肉厚を有する端面部を先端として撮像対象物に接触可能とされ、
前記筒状部の先端をなす端面部において、少なくとも一部が内周側に対して外周側が筒軸方向に突出していることを特徴とするコンバージョンレンズカメラシステム。
【請求項１０】
肌に当接させて肌状態を拡大するための肌用レンズ装置において、
対象部分の肌を拡大するための光学レンズと、
対象部分の肌に照明用の光を照射する光源と、
前記光学レンズと前記光源を内蔵支持する本体部と、を備え、
前記本体部には、前記本体部の外側に向かって突出し、内部を前記光学レンズの光路とする筒状部が形成され、
前記筒状部は、所定の肉厚を有する端面部を先端として撮影対象部分の肌に接触可能とされ、
前記筒状部の先端をなす端面部において、内周側に対して外周側が筒軸方向に突出していることを特徴とする肌用レンズ装置。
【手続補正２】
【補正対象書類名】明細書
【補正対象項目名】発明の名称
【補正方法】変更
【補正の内容】
【発明の名称】コンバージョンレンズ装置、コンバージョンレンズカメラシステム及び肌用レンズ装置
【手続補正３】
【補正対象書類名】明細書
【補正対象項目名】０００１
【補正方法】変更
【補正の内容】
【０００１】
本発明は、カメラの対物レンズ側に取り付けてカメラの画角を変化させるコンバージョンレンズ装置、コンバージョンレンズカメラシステム及び肌用レンズ装置に関する。
【手続補正４】
【補正対象書類名】明細書
【補正対象項目名】０００８
【補正方法】変更
【補正の内容】
【０００８】
本発明は前記課題を解消するためになされたもので、肌の盛り上がりを抑え、肌をできるだけ起伏の少ない平坦に近い状態のまま撮像して、使用者の意図に沿った適切な撮像画像が得られるようにする、コンバージョンレンズ装置、コンバージョンレンズカメラシステム及び肌用レンズ装置を提供することを目的とする。
【手続補正５】
【補正対象書類名】明細書
【補正対象項目名】０００９
【補正方法】変更
【補正の内容】
【０００９】
本発明の開示するコンバージョンレンズ装置は、カメラを備える携帯機器に、当該カメラに面して装着されてカメラの画角を変化させるコンバージョンレンズ装置において、
コンバージョンレンズをなす光学レンズを内蔵支持し、撮像対象物に面する窓部と携帯機器のカメラに面する窓部とが外表面に形成された本体部と、
前記本体部を、前記携帯機器のカメラに面する窓部が携帯機器のカメラに対向するように、携帯機器に固定する固定具とを備え、
前記本体部の前記撮像対象物に面する窓部の周囲には、前記本体部の外側に向かって突出した筒状部が形成され、
前記筒状部は、所定の肉厚を有する端面部を先端として撮像対象物に接触可能とされ、
前記筒状部の先端をなす端面部において、少なくとも一部が内周側に対して外周側が筒軸方向に突出している。
また、前記筒状部の先端をなす端面部において、外周側の筒軸方向への突出高さを、筒周方向において連続的且つ周期的に異ならせて、筒周方向に波状の凹凸が生じた形状として形成される。
【手続補正６】
【補正対象書類名】明細書
【補正対象項目名】００１０
【補正方法】変更
【補正の内容】
【００１０】
また、前記筒状部は前記本体部とは別部材で構成され、前記本体部に対して移動可能に支持されている。
また、前記本体部は、撮像対象物に撮像のための光を照射する照明用光源と、
前記照明用光源の光照射を制御する制御回路部とを内蔵し、
前記筒状部が、前記本体部に対し移動すると、前記制御回路部が、前記筒状部の移動を検知して、照明用光源に撮像対象物に対する光照射を実行させる。
【手続補正７】
【補正対象書類名】明細書
【補正対象項目名】００１１
【補正方法】変更
【補正の内容】
【００１１】
本発明の開示するコンバージョンレンズ装置は、カメラを備える携帯機器に、当該カメラに面して装着されてカメラの画角を変化させるコンバージョンレンズ装置において、
コンバージョンレンズをなす光学レンズを内蔵支持し、撮像対象物に面する窓部と携帯機器のカメラに面する窓部とが外表面に形成された本体部と、
前記本体部を、前記携帯機器のカメラに面する窓部が携帯機器のカメラに対向するように、携帯機器に固定する固定具とを備え、
前記本体部の前記撮像対象物に面する窓部の周囲には、前記本体部の外側に向かって突出した筒状部が形成され、
前記筒状部は、所定の肉厚を有する端面部を先端として撮像対象物に接触可能とされ、
前記筒状部の先端をなす端面部に周方向に凹凸が形成されている。
また、前記凹凸が、筒周方向に波状でかつ連続的に形成される。
【手続補正８】
【補正対象書類名】明細書
【補正対象項目名】００１２
【補正方法】変更
【補正の内容】
【００１２】
また、前記筒状部は前記本体部とは別部材で構成され、前記本体部に対して移動可能に支持されている。
また、前記本体部は、撮像対象物に撮像のための光を照射する照明用光源と、
前記照明用光源の光照射を制御する制御回路部とを内蔵し、
前記筒状部が、前記本体部に対し移動すると、前記制御回路部が、前記筒状部の移動を検知して、照明用光源に撮像対象物に対する光照射を実行させる。
【手続補正９】
【補正対象書類名】明細書
【補正対象項目名】００１３
【補正方法】変更
【補正の内容】
【００１３】
本発明の開示するコンバージョンレンズカメラシステムは、カメラを備える携帯機器と、前記携帯機器のカメラに面して装着されるコンバージョンレンズ装置とからなるコンバージョンシステムにおいて、
前記コンバージョンレンズ装置は、
コンバージョンレンズをなす光学レンズを内蔵支持し、撮像対象物に面する窓部と携帯機器のカメラに面する窓部とが外表面に形成された本体部と、
前記本体部を、前記携帯機器のカメラに面する窓部が携帯機器のカメラに対向するように、携帯機器に固定する固定具とを備え、
前記本体部の前記撮像対象物に面する窓部の周囲には、前記本体部の外側に向かって突出した筒状部が形成され、
前記筒状部は、所定の肉厚を有する端面部を先端として撮像対象物に接触可能とされ、
前記筒状部の先端をなす端面部において、少なくとも一部が内周側に対して外周側が筒軸方向に突出している。
また、本発明の開示する肌用レンズ装置は、肌に当接させて肌状態を拡大するための肌用レンズ装置において、
対象部分の肌を拡大するための光学レンズと、
対象部分の肌に照明用の光を照射する光源と、
前記光学レンズと前記光源を内蔵支持する本体部と、を備え、
前記本体部には、前記本体部の外側に向かって突出し、内部を前記光学レンズの光路とする筒状部が形成され、
前記筒状部は、所定の肉厚を有する端面部を先端として撮影対象部分の肌に接触可能とされ、
前記筒状部の先端をなす端面部において、内周側に対して外周側が筒軸方向に突出している。
【手続補正１０】
【補正対象書類名】明細書
【補正対象項目名】００１４
【補正方法】変更
【補正の内容】
【００１４】
また、本発明の開示するコンバージョンレンズ装置は、カメラ付きの携帯機器に取り付けてカメラの画角を変化させるコンバージョンレンズ装置である。コンバージョンレンズをなす一又は複数の光学レンズ、及び、撮像対象物と携帯機器のカメラ部とにそれぞれ面して前記光学レンズへの光路となる複数の窓部を形成されつつ光学レンズを内蔵支持する支持ケース、を少なくとも有する本体部と、前記本体部を携帯機器のカメラ部前方に固定する固定具とを備えている。前記本体部の支持ケースにおける撮像対象物に面する側の前記窓部の近傍部分は、窓部を中心として前記光学レンズの光軸と平行な筒状部とされ、当該筒状部は、所定の肉厚を有する端面部を先端として撮像対象物に接触可能とされている。前記筒状部の先端をなす端面部に凹凸を形成する。
また、前記凹凸が、筒周方向に波状でかつ連続的に形成される。
また、カメラ付きの携帯機器に取り付けてカメラの画角を変化させるコンバージョンレンズ装置において、コンバージョンレンズをなす一又は複数の光学レンズ、及び、撮像対象物と携帯機器のカメラ部とにそれぞれ面して前記光学レンズへの光路となる複数の窓部を形成されつつ光学レンズを内蔵支持する支持ケース、を少なくとも有する本体部と、前記本体部を携帯機器のカメラ部前方に固定する固定具とを備えている。前記本体部の支持ケースにおける撮像対象物に面する側の前記窓部の近傍部分は、窓部を中心として前記光学レンズの光軸と平行な筒状部とされ、当該筒状部は、所定の肉厚を有する端面部を先端として撮像対象物に接触可能とされ、前記筒状部の先端をなす端面部のうち、筒外周寄り所定範囲部分に、筒軸方向に突出する凸部を設ける。
また、前記筒状部における凸部が、筒軸方向への突出高さを、筒周方向において連続的且つ周期的に異ならせて、周方向に波状の凹凸が生じた形状として形成される。
また、前記本体部の支持ケースに内蔵され、撮像対象物に撮像のための光を照射する照明用光源と、前記本体部の支持ケースに内蔵され、前記照明用光源の光照射を制御する制御回路部とを備え、前記本体部の支持ケースにおける撮像対象物に面する側の前記窓部の近傍部分は、窓部を中心として前記光学レンズの光軸と平行な筒状部とされている。当該筒状部は、支持ケースの他部分に対し光学レンズの光軸と平行に所定範囲移動可能に支持されて、先端部を撮像対象物に接触可能とされている。前記筒状部が、支持ケースの他部分に対し移動すると、前記制御回路部が、筒状部の移動を検知して、照明用光源に撮像対象物に対する光照射を実行させる。
また、前記本体部の支持ケースに内蔵され、撮像対象物に撮像のための光を照射する照明用光源と、前記本体部の支持ケースに内蔵され、前記照明用光源の光照射を制御する制御回路部とを備えている。前記本体部の支持ケースにおける撮像対象物に面する側の前記窓部の近傍部分は、窓部を中心として前記光学レンズの光軸と平行な筒状部とされ、前記筒状部は、支持ケースの他部分に対し光学レンズの光軸と平行に所定範囲移動可能に支持されている。前記筒状部が先端側から押されて、支持ケースの他部分に対し所定距離移動すると、接点の開閉状態が変わる所定のスイッチが、支持ケースに内蔵され、前記制御回路部が、使用者の前記筒状部を押す操作に基づいて前記スイッチの接点開閉状態が変わると、当該開閉状態変化から少なくとも所定時間、照明用光源に撮像対象物に対する光照射を実行させる。